(57)【要約】【課題】物品収納用のバスケットが読取装置に干渉されずに所定方向に移動できるとともに、物品に付与された情報を読み取る読取処理を確実に行うことができるカウンター什器を提供すること。【解決手段】物品購入者Ｃが持参する物品に対し、接客店員Ｓが操作して物品に付与された情報を読み取るためのカウンター什器１であって、長手方向に延設された天板７と、情報を読み取る読取装置１１を天板７の上方に離間した位置にて支持する支持構造体８とを備え、支持構造体８は、天板７における接客店員Ｓ側の側縁から上方に立設され、物品購入者Ｃ側に延設されたアーム１２と、アーム１２の前端部に設けられ読取装置１１を設置する設置台１３と、から構成されており、アーム１２は、物品収納用のバスケット１５がアーム１２の下方側であって天板７の上方側を長手方向に通過可能に、形成されている。【選択図】図４
2015146860.tif 000002
【特許請求の範囲】
【請求項１】
物品購入者が持参する物品に対し、接客店員が操作して該物品に付与された情報を読み取るためのカウンター什器であって、
長手方向に延設された天板と、前記情報を読み取る読取装置を前記天板の上方に離間した位置にて支持する支持構造体とを備え、
前記支持構造体は、前記天板における接客店員側の側縁から上方に立設され、物品購入者側に延設されたアームと、前記アームの前端部に設けられ前記読取装置を設置する設置台と、から構成されており、
前記アームは、物品収納用のバスケットが前記アームの下方側であって前記天板の上方側を前記長手方向に通過可能に、形成されていることを特徴とするカウンター什器。
【請求項２】
前記読取装置の読取部が、前記天板の長手方向における前記アームよりも上流側に配設されていることを特徴とする請求項１に記載のカウンター什器。
【請求項３】
前記天板の下方は、前記バスケットを載置するカートの下部が通過可能に、長手方向に前記アームの前後に架けて開放されていることを特徴とする請求項１または２に記載のカウンター什器。
【請求項４】
前記アームは、前記天板を支持する脚部材に対し着脱可能に接続されていることを特徴とする請求項１ないし３のいずれかに記載のカウンター什器。
【発明の詳細な説明】
【技術分野】
【０００１】
本発明は、例えばスーパーマーケット、ホームセンター、ドラッグストア等の店舗において、物品に付与されたバーコード等の識別情報を読み取る読取装置を備えたカウンター什器に関する。
【背景技術】
【０００２】
従来のカウンター什器には、物品の情報を読み取る読取装置が左右両側の天板に挟まれる箇所に設置され、この読取装置が天板の上面よりも突出したものがあり、購買客等が物品を収納したバスケットを一方の天板上に載置すると、接客店員等が読取装置で物品の情報を順次読み取り、読み取り後の物品を他方の天板上に移載することで、物品を順次読取処理するものがある（例えば、特許文献１参照）。
【先行技術文献】
【特許文献】
【０００３】
【特許文献１】特開平８−３２９３３５号公報（第２頁、第１図）
【発明の概要】
【発明が解決しようとする課題】
【０００４】
しかしながら、特許文献１にあっては、読取装置で物品の情報を読み取った後、一方の天板上に載置していたバスケットを他方の天板上に移載する際に、このバスケットを長手方向に移動させることができず、両側の天板上面から突出した読取装置の側方または上方に一旦迂回して移載する必要があるため、カウンター什器に並ぶ購入客のレジ処理を円滑に行うことができないという問題がある。
【０００５】
また、特許文献１の読取装置は、バスケットと同程度の高さに上方に立設されているため、接客店員が物品の読取処理をする際に、読取ミス若しくは未読取の物品を、誤って読取処理済みと判断して移載してしまう不具合の虞が生じていた。
【０００６】
本発明は、このような問題点に着目してなされたもので、物品収納用のバスケットが読取装置に干渉されずに所定方向に移動できるとともに、物品に付与された情報を読み取る読取処理を確実に行うことができるカウンター什器を提供することを目的とする。
【課題を解決するための手段】
【０００７】
前記課題を解決するために、本発明のカウンター什器は、
物品購入者が持参する物品に対し、接客店員が操作して該物品に付与された情報を読み取るためのカウンター什器であって、
長手方向に延設された天板と、前記情報を読み取る読取装置を前記天板の上方に離間した位置にて支持する支持構造体とを備え、
前記支持構造体は、前記天板における接客店員側の側縁から上方に立設され、物品購入者側に延設されたアームと、前記アームの前端部に設けられ前記読取装置を設置する設置台と、から構成されており、
前記アームは、物品収納用のバスケットが前記アームの下方側であって前記天板の上方側を前記長手方向に通過可能に、形成されていることを特徴としている。
この特徴によれば、物品収納用のバスケットが読取装置に干渉されることなくアームと天板との間を所定の移動方向に通過できるため利便性が高いばかりか、物品をアームの上方側を通過させつつ読取装置で読取処理ができるため読取ミスを防止できる。またアームが接客店員側の側縁から上方に立設され、物品購入者側に延設されているため、物品購入者に威圧感を与えることなく、更に読取処理の際には物品の荷重をアームに一旦預けることができるため、読取処理の負担を軽減して円滑に行うことができる。
【０００８】
前記読取装置の読取部が、前記天板の長手方向における前記アームよりも上流側に配設されていることを特徴としている。
この特徴によれば、読取部により読取処理を終えた後の物品が、アームの上方を通過することになるため、読取処理の終了を逐次確実に確認することができる。
【０００９】
前記天板の下方は、前記バスケットを載置するカートの下部が通過可能に、長手方向に前記アームの前後に架けて開放されていることを特徴としている。
この特徴によれば、物品購入者が、バスケットを載置したカートがカウンター什器に干渉することなく移動して読取処理を受けることができるため、物品を円滑に購入できる。
【００１０】
前記アームは、前記天板を支持する脚部材に対し着脱可能に接続されていることを特徴としている。
この特徴によれば、アームを脚部材により安定して支持できるばかりか、アームを着脱することで、カウンター什器の搬入出や組立てを容易に行うことができる。
【図面の簡単な説明】
【００１１】
【図１】実施例におけるカウンター什器を示す斜視図である。
【図２】カウンター什器の構造を示す分解斜視図である。
【図３】接客店員側から見たカウンター台を示す背面図である。
【図４】カウンター什器を示す側断面図である。
【図５】物品購入者がカウンター什器に購入商品を持参する前の状態を示す平面図である。
【図６】物品購入者がカウンター什器に購入商品を持参した状態を示す平面図である。
【図７】読取作業を終え、購入商品の精算が完了した後の状態を示す平面図である。
【図８】接客店員がショッピングカートを移動させた状態を示す平面図である。
【発明を実施するための形態】
【００１２】
本発明に係るカウンター什器を実施するための形態を実施例に基づいて以下に説明する。
【実施例１】
【００１３】
実施例１に係るカウンター什器につき、図１から図８を参照して説明する。以下、図１及び図２の画面右下側をカウンター什器の正面側（前方側）とし、カウンター什器の正面視の左右側をカウンター什器の左右側として説明する。
【００１４】
図１に示されるように、本実施例のカウンター什器１は、スーパーマーケット等の店舗における商品の代金精算時に用いられるものとして説明する。尚、カウンター什器は、商品の代金精算用に用いられるものに限られず、例えば、図書館や倉庫等において物品や書籍の入出庫の情報管理を行う際に用いられてもよい。
【００１５】
図１及び図２に示されるように、カウンター什器１の両端部には、レジスタ台２と陳列棚３とがそれぞれ配置固定されている。レジスタ台２は、物品購入者Ｃが購入する商品の代金精算を行うためのレジスタ装置５を最上部に搭載可能であり、その下段には、レジ袋などを収容できるように複数の収容部２１，２１，…を備えている。また、収容部２１，２１，…は、側板２２，２２と背板２３とにより閉塞され、収容部２１，２１，…内が外部から露見し難くなっている。
【００１６】
陳列棚３は、カウンター什器１の近くにいる顧客に向けて商品を陳列するためのものである。この陳列棚３は、基台３１と、基台３１から立設する支柱部材３２，３２と、支柱部材３２，３２に架け渡される複数の棚板３３，３３，…と、これら棚板３３，３３，…を囲う側板３４，３４及び背板３５と、を備えている。
【００１７】
図１及び図２に示されるように、カウンター什器１は、脚部材６と、天板７と、後述する読取装置１１を支持する支持構造体８と、から主に構成されている。脚部材６は、左右に離間して配置される立設体６１，６１と、立設体６１，６１の前後上端を繋ぐ上部架設材６２，６２と、立設体６１，６１の後側下端部を繋ぐ下部架設材６３と、を備えている。
【００１８】
天板７は、立設体６１，６１の離間幅と略同一の左右長さを有するとともに、立設体６１の前後幅よりも大きな前後長さを有する。この天板７の左右長さは、天板７の前後長さよりも長くなっている。天板７は、その後端部（接客店員Ｓ側）の下面が脚部材６の上部に載置され、図示しないボルト等により固定されている。つまり、天板７は、脚部材６よりも前方側（物品購入者Ｃ側）に張り出しており、天板７の前方側下方には、長手方向に開放された下方空間部９が形成されている。また、天板７の中央部には、上方から天板７の下方を視認できる窓部７１が形成されている。また、この天板７は、後述するショッピングカート１６のバスケット載置部１６５の高さ位置よりも低く設定されている。
【００１９】
支持構造体８は、カウンター什器１の脚部材６に固定されるアーム１２と、読取装置１１を設置する設置台１３と、を備えている。アーム１２は、カウンター什器１の接客店員Ｓ側の側縁に配置され、上方に略垂直に立ち上がる立上部１２ａと、立上部１２ａの上端から物品購入者Ｃ側に略水平に延設された延設部１２ｂと、を有し、設置台１３は、延設部１２ｂの物品購入者Ｃ側の端部に設けられている。また、アーム１２は、金属等を押出形成した中空の剛性部材あるいは成形した金属パイプであり、アーム１２の横幅は、読取装置１１の横幅全長の１／５以下となっている。
【００２０】
アーム１２は、立上部１２ａに対してビスなどで着脱可能に取付けられる鉤部材１４，１４を備えており、アーム１２の立上部１２ａに取付けられた鉤部材１４，１４を接客店員Ｓ側の上部架設材６２と下部架設材６３とに係止させることで、アーム１２の延設部１２ｂがカウンター什器１の天板７よりも上方に配置される。すなわちアーム１２は、脚部材６に対して着脱可能と成っている。このように、アーム１２がカウンター什器１の脚部材６に取付けられた状態の時には、アーム１２の延設部１２ｂとカウンター什器１の天板７との間に上方空間部１０が形成されており、上方空間部１０は、物品購入者Ｃが利用する物品収納用のバスケット１５の高さよりも大きな高さ幅を有している（図３参照）。尚、アーム１２は、必ずしも鉤部材１４を備えるものに限られず、カウンター什器１の適所にビスなどで取り付けられても構わない。
【００２１】
図３に示されるように、設置台１３は、アーム１２の延設部１２ｂに対して、天板７の長手方向に沿って移動する物品購入者Ｃの入口側（図３の右側）に張り出して設けられている。この設置台１３に設置された読取装置１１は、購入商品のバーコード等を読み取る読取部１１ａと、手動で商品情報を打ち込むキーボード部１１ｂと、読取部１１ａ及びキーボード部１１ｂにより読み込まれた商品情報を表示する表示部１１ｃと、を備えている。読取部１１ａは、設置台１３の直上に載置されていることから、アーム１２の延設部１２ｂに対して、物品購入者Ｃの移動方向の入口側に配置される。また、図示しないが、読取装置１１用の配線は、中空のアーム１２内を介して電源に延びており、前記配線が外部から露見せずに美観に優れている。
【００２２】
接客店員Ｓが行う購入商品の読取作業は、天板７におけるアーム１２よりも物品購入者Ｃの入口側に配されたバスケット１５内の商品を、読取部１１ａにより読み取った後、アーム１２の延設部１２ｂの上を越えて物品購入者Ｃの出口側（図３の左側）に配された空のバスケット１５’に移すようになっている。読取部１１ａは、アーム１２の延設部１２ｂに対して物品購入者Ｃの入口側、換言すれば、購入商品の移動方向の上流側に配置されているため、読取部１１ａにより読み取った後の商品がアーム１２の延設部１２ｂの上を通過するようになる。したがって、アーム１２は、商品がその延設部１２ｂの上を通過した状態であるか否かにより、読取処理を終えた状態であるか否かを判断できる目安となっている。
【００２３】
図１及び図４に示されるように、物品購入者Ｃが利用するショッピングカート１６は、車輪１６１，１６１，…を備えた下方台車部１６２と、下方台車部１６２の後端から上方に延びる支柱１６３，１６３と、支柱１６３，１６３の上端を繋ぐ把持部１６４と、支柱１６３，１６３における所定の高さ位置に設けられるバスケット載置部１６５と、から主に構成されており、バスケット載置部１６５及び下方台車部１６２にそれぞれバスケット１５，１５を搭載できるようになっている。
【００２４】
前述のように、カウンター什器１は、天板７がショッピングカート１６のバスケット載置部１６５の高さ位置よりも低く設定されており、且つ下方空間部９が形成されているため、図４に示されるように、商品の代金精算時において物品購入者Ｃは、ショッピングカート１６をカウンター什器１に押し込むことで、ショッピングカート１６の下方台車部１６２をカウンター什器１の下方空間部９に配置し、ショッピングカート１６のバスケット載置部１６５を天板７の上方に配置することができる。尚、図４に示されるように、カウンター什器１の上方空間部１０は、バスケット１５を搭載したバスケット載置部１６５よりも大きな高さを有している。
【００２５】
次に、購入商品の精算作業について説明する。尚、図５ないし図８の画面左側を物品購入者Ｃの入口側として説明し、画面右側を物品購入者Ｃの出口側として説明する。
【００２６】
図５に示されるように、物品購入者Ｃがカウンター什器１に購入商品を持参する前の状態、即ち精算準備状態にあっては、カウンター什器１における出口側に、空のバスケット１５’を搭載したショッピングカート１６’が配置されており、カウンター什器１における入口側に何も配置されていない状態となっている。
【００２７】
次いで、図６に示されるように、物品購入者Ｃは、所定の売り場で購入すべき商品をバスケット１５に収納しカウンター什器１に持参する。このとき、物品購入者Ｃは、何も配置されていないカウンター什器１における入口側に、バスケット１５を搭載したままショッピングカート１６をカウンター什器１に押し込む。これにより、バスケット載置部１６５に載置されたバスケット１５を天板７の上方に配置することができるため、ショッピングカート１６からバスケット１５を、カウンター什器１の天板７上に降ろすことなく精算作業を始めることができる。
【００２８】
続いて、接客店員Ｓが、持参された購入商品の読取作業を行う（図示略）。前述したように、読取装置１１の読取部１１ａは、アーム１２の延設部１２ｂよりも購入商品の移動方向の上流側に配置されており、商品がアーム１２の延設部１２ｂの上を通過した状態であるか否かにより、読取処理を終えた状態であるか否かを判断できる目安となっているため、読取処理の終了を逐次確実に確認することができる。この読取作業により商品情報が読み取られた購入商品は、カウンター什器１における出口側に配置されたショッピングカート１６’のバスケット１５’内に移される。
【００２９】
また、接客店員Ｓは、天板７に設けられた窓部７１を介してショッピングカート１６の下方台車部１６２に搭載されたバスケット１５の有無を確認できるようになっている。ショッピングカート１６の下方台車部１６２にバスケット１５が有る場合、図示しないが、接客店員Ｓが下方台車部１６２のバスケット１５とバスケット載置部１６５のバスケット１５とを交換して前記読取作業を継続する。
【００３０】
図７に示されるように、前記読取作業を終え、購入商品の精算が完了すると、物品購入者Ｃは、購入商品が移されたカウンター什器１における出口側に配置されたショッピングカート１６’を持ってカウンター什器１から去る。そのため、カウンター什器１における入口側には、空になったバスケット１５を搭載したショッピングカート１６が残されており、カウンター什器１における出口側には、何も配置されていない状態となっている。
【００３１】
そして、図８に示されるように、接客店員Ｓが、カウンター什器１における入口側に残された空になったバスケット１５を搭載したショッピングカート１６を、カウンター什器１における出口側にスライド移動させることにより、前記した精算準備状態とする。このとき、ショッピングカート１６がアーム１２の延設部１２ｂと天板７と間の上方空間部１０を通過できるようになっているため、ショッピングカート１６とアーム１２及び読取装置１１との干渉を避けるために迂回させる必要がない。その後、次の物品購入者Ｃの精算作業を繰り返す。
【００３２】
このようにバスケット１５が、アーム１２及び読取装置１１に干渉されることなくアーム１２の延設部１２ｂと天板７と間の上方空間部１０を所定の移動方向に通過できるため利便性が高い。
【００３３】
また、購入商品をアーム１２の延設部１２ｂの上方側を通過させつつ読取装置１１で読取処理ができるため、比較的高い位置で前記読取作業を行うことができ、接客店員Ｓが目視しながら作業を行い易く、読取ミスを防止できる。
【００３４】
また、アーム１２が、立上部１２ａにより接客店員Ｓ側の側縁から上方に立設され、延設部１２ｂにより物品購入者Ｃ側に延設されているため、物品購入者Ｃ側にアーム１２が配置されず、物品購入者Ｃに威圧感を与えることない。さらに、アーム１２は、金属等を押出形成した中空の剛性部材であり、アーム１２の横幅は、読取装置１１の横幅全長の１／５以下となっているため、読取装置１１を支持するアーム１２の支持剛性を保持しつつ横幅を極小化することで、物品購入者Ｃに与える圧迫感をより軽減でき、快適に使用できる。
【００３５】
また、購入商品の重量が重い場合には、アーム１２の延設部１２ｂの上方側を通過させる際に、当該購入商品の荷重をアーム１２に一旦預けることができるため、読取処理の負担を軽減して円滑に行うことができる。
【００３６】
また、カウンター什器１は、天板７がショッピングカート１６のバスケット載置部１６５の高さ位置よりも低く設定されており、且つ上方空間部１０及び下方空間部９が形成されているため、バスケット１５をショッピングカート１６ごとカウンター什器１に押し込むことでき、且つ、バスケット１５をショッピングカート１６ごとカウンター什器１の長手方向にスライドさせることができる。そのため、ショッピングカート１６をアーム１２及び読取装置１１との干渉を避けるために迂回させる必要がなく、購入商品を円滑に精算処理できる。
【００３７】
また、アーム１２は、脚部材６に対して着脱可能と成っていることにより、アーム１２を脚部材６により安定して支持できる。さらに、アーム１２を着脱することで、カウンター什器１の搬入出や組立てを容易に行うことができるばかりか、脚部材６の長手方向に対するアーム１２の位置を調整することが可能となり、カウンター什器１の設計自由度が高い。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、カウンター什器１の左右両端には、レジスタ台２と、陳列棚３と、が配置される態様について説明したが、レジスタ台２と陳列棚３とを設けず、カウンター什器１のみを用いてもよい。また、カウンター什器１に対するレジスタ台２及び陳列棚３の配置位置等の態様は、自由に設計することができる。
【００４０】
また、支持構造体８のアーム１２は、カウンター什器１の脚部材６に着脱可能に取付けられている態様について説明したが、これに限られず、脚部材６に固着されていてもよい。また、アーム１２は、天板７の接客店員Ｓ側の側縁に配置されてもよいし、カウンター什器１における接客店員Ｓ側の床面に固着されてもいてもよい。
【００４１】
また本実施例では、アーム１２は、立上部１２ａと延設部１２ｂとを有する態様について説明したが、必ずしも、立上部１２ａが垂直に上方に延び、また延設部１２ｂが水平に延びるものでなくともよい。例えば立上部は、所定の角度が付与されてもよいし、曲線状に立上るものでもよい。同様に延設部は、所定の角度が付与されてもよいし、曲線状に延設されるものでも構わない。更に尚、アームは、必ずしも上方に立ち上がる立上部と、該立上部の上端から延設された延設部とに分かれて構成されるものに限られず、例えば上方かつ物品購入者Ｃ側に向けて弧状に延びる曲線状体のみから構成されるものでもよい。
【符号の説明】
【００４２】
１                カウンター什器
２                レジスタ台
３                陳列棚
５                レジスタ装置
６                脚部材
７                天板
８                支持構造体
９                下方空間部
１０              上方空間部
１１              読取装置
１１ａ            読取部
１２              アーム
１２ａ            立上部
１２ｂ            延設部
１３              設置台
１５              バスケット
１６              ショッピングカート（カート）
１６２            下方台車部（カートの下部）
１６５            バスケット載置部
Ｃ                物品購入者
Ｓ                接客店員
【図１】
2015146860.tif 000003
【図２】
2015146860.tif 000004
【図３】
2015146860.tif 000005
【図４】
2015146860.tif 000006
【図５】
2015146860.tif 000007
【図６】
2015146860.tif 000008
【図７】
2015146860.tif 000009
【図８】
2015146860.tif 000010